(57)【要約】  【課題】  内視鏡挿入部の先端部に設けたフード部材内に滞留する流体や汚物を効果的に除去排出する内視鏡装置を提供する。  【解決手段】  管腔内に挿入される内視鏡挿入部６の先端部５に先端フード部材４を設け、内視鏡挿入部６の先端部５の先端面２０に軸芯から偏芯させた位置に設けた観察光学系入射端１及び吸気吸水機能を有する鉗子チャンネル開口部３と、観察光学系入射端１に送気送水する送気送水ノズル７と、観察光学系入射端１と送気送水ノズル７とを結んだ線により分割された先端面２０の鉗子チャンネル開口部３から離れたエリア３０内に前方送水用の前方送水用開口部１１を備え、送気送水ノズル７と前方送水用開口部１１からの流体で汚物を環流させて吸水排出する内視鏡装置。  【選択図】  図２
2005065872.tif 000002
【特許請求の範囲】
【請求項１】
管腔内に挿入される内視鏡挿入部の先端部に、前記内視鏡挿入部の観察視野方向に突出する先端フード部材を一体もしくは着脱可能に設けた内視鏡装置において、
前記内視鏡挿入部の先端部の先端面に、前記先端部の軸芯から偏芯させた位置に設けた観察光学系入射端及び鉗子チャンネル開口部と、
この観察光学系入射端に対して、送気送水する送気送水ノズルと、
前記観察光学系入射端と前記送気送水ノズルとを結んだ線により分割された前記先端部の先端面の前記鉗子チャンネル開口部から離れたエリア内に前方送水用に設けた前方送水用開口と、
を具備することを特徴とした内視鏡装置。
【請求項２】
管腔内に挿入される内視鏡挿入部の先端部に、前記内視鏡挿入部の観察視野方向に突出する先端フード部材を一体もしくは着脱可能に設けた内視鏡装置において、
前記内視鏡挿入部の先端部の先端面に、前記先端部の軸芯から偏芯させた位置に設けた観察光学系入射端及び鉗子チャンネル開口部と、
この観察光学系入射端に対して、送気送水する送気送水ノズルと、
前記観察光学系入射端と前記送気送水ノズルとを結んだ線の観察光学系入射端側の延長線上に、前記送気送水ノズルから送出された流体を前記鉗子チャンネル開口部から離れたエリア内に流動するように前記先端フード部材の内壁に設けた流体案内用突堤と、
を具備することを特徴とした内視鏡装置。
【発明の詳細な説明】
【技術分野】
【０００１】
本発明は、フード付き内視鏡装置に関し、特にフード内に滞留する流体や汚物などを効率的に除去排出して、良好な観察視野が確保できる内視鏡装置に関する。
【背景技術】
【０００２】
近年、管腔内診断や患部の処置や治療等に内視鏡装置が用いられている。この内視鏡装置は、管腔内に挿入される細長な挿入部と、この挿入部の基端に連設された操作部からなっている。
【０００３】
前記挿入部は、可撓性部材で形成され基端に前記操作部が連設された可撓管部と、この可撓管部の先端に連設され複数の湾曲駒からなる湾曲部と、この湾曲部の先端に連設された硬質部材で形成された先端部からなっている。
【０００４】
前記操作部は、前記湾曲部を湾曲操作する湾曲ノブ、観察光学系の接眼部、照明光源に接続するライトガイドコード、処置や治療用の鉗子挿入孔、送水及び送気スイッチ、吸水及び吸気スイッチ、及び送水・送気ポンプと吸水・吸気ポンプ接続用コネクタ等からなっている。
【０００５】
前記操作部と前記挿入部の先端部には、前記観察光学系の接眼部に接続されたイメージガイドファイバーバンドル、前記ライトガイドコードに接続されたライトガイドファイバーバンドル、鉗子挿入孔に接続された鉗子チャンネル、及び送水・送気ポンプ接続用コネクタに接続された送水・送気チャンネル等が内蔵されている。
【０００６】
また、前記挿入部の先端部の先端面には、前記イメージガイドファイバーバンドルの先端が配置された観察光学系入射端開口、前記ライトガイドファイバーバンドルの先端が配置された照明光学系出射端開口、前記鉗子チャンネルに連通した鉗子チャンネル開口部、及び前記送水・送気チャンネルの先端が接続された送水・送気ノズルが設けられている。
【０００７】
なお、前記鉗子チャンネルは、吸水・吸気チャンネルを兼用しており、操作部の鉗子挿入孔の近傍で、吸水・吸気ポンプと接続可能となっている。
【０００８】
このような構成の内視鏡装置を用いて管腔内を観察し、処置や治療等を行う際に、前記照明光学系出射端開口からの照明光で照明された被写体を観察光学系で鮮明に視認するために、被写体と挿入部の先端部との間の最接近距離を所定の値に保持させる必要がある。
【０００９】
このために、動きやすい粘膜を観察し、処置や治療等を行う際には、被写体である粘膜と、先端部との間の最接近距離を所定の値に維持させるために、前記先端部にフード部材が設けられている。
【００１０】
前記先端部に設けられるフード部材は、前記先端部から観察視野方向に所定の寸法突出させた略円筒形状のフード部からなっている。このフード部の前面端を被写体である粘膜に当接させることで、被写体と先端部の観察光学系入射端開口との最接近距離を確保するようになっている（例えば、特許文献１参照）。
【００１１】
一方、内視鏡診断治療処置において、前記観察光学系入射端開口の視野を確保するために、前記送水・送気ノズルから送水及び送気を行い、前記観察光学系入射端開口に付着した汚物除去等の洗浄が行われる。
【００１２】
この観察光学系入射端開口の洗浄に用いた流体、あるいは除去した汚物等は、前記鉗子チャンネル開口部から鉗子チャンネルを用いて吸引排出させるようになっている。
【００１３】
前記フード部材を用いて最接近距離を維持させながら内視鏡観察し、処置や治療時に、前記観察光学系入射端開口の洗浄を行った際に、洗浄に使用した流体及び汚物がフード部材内で滞留するが、この滞留物は前記鉗子チャンネル開口部から鉗子チャンネルを介して管腔外へと吸引排出される。
【００１４】
しかし、フード部材内で、鉗子チャンネル開口部から離れた位置に滞留している流体及び汚物が効果的に除去できなく、観察光学系入射端開口の視野内に滞留物が入り込み良好な視野が得られないこともある。
【００１５】
このために、挿入部の先端部に設けられるフード部材に、先端部の送水・送気ノズルと観察光学系入射端開口に対向して、排出口を設けた内視鏡も提案されている（例えば、特許文献２参照）。
【特許文献１】実公昭５９−１５６０５号公報。
【特許文献２】実開昭５６−７５９１２号公報。
【発明の開示】
【発明が解決しようとする課題】
【００１６】
前記特許文献１に提案されているフード部材を内視鏡挿入部の先端部に設けて、内視鏡観察治療処置において、前記観察光学系入射端開口を洗浄するために、送水・送気ノズルから流体を吹き付け、その洗浄後のフード部材内に滞留する流体及び汚物等は鉗子チャンネル開口部により管腔外へと吸引排出するが、前述したように、流体や汚物を吸引する鉗子チャンネル開口部から離れたフード部材内位置に滞留している流体や汚物が効果的に除去できないために、残存した流体や汚物が観察光学系入射端開口の視野内に入り込み被写体を不鮮明したり観察視野を狭くする不具合が発生する可能性があった。
【００１７】
また、前記特許文献２に提案されているフード部材を用いた内視鏡装置は、フード部材内に入り込んだ汚物や流体を除去しようとした場合、送水・送気ノズルと、観察光学系入射端開口とを結んだ延長線上に排出口が設けられているために、その送水・送気ノイズから排出口で形成される範囲に滞留する流体や汚物は排出可能であるが、送水・送気ノイズと排出口で形成される範囲外に滞留する流体や汚物が効果的に除去できないために、残存した流体や汚物が観察光学系入射端開口の視野内に入り込み被写体を不鮮明にしたり、観察視野を狭くする不具合が発生する可能があった。
【００１８】
本発明は、上記事情に鑑みてなされたものであり、内視鏡挿入部の先端部と被写体との最接近距離を維持するためのフード部材を有し、良好な観察視野を確保するために観察光学系入射端開口を洗浄した際のフード部材内に滞留する流体や汚物を効果的に除去排出することが可能な内視鏡装置を提供することを目的としている。
【課題を解決するための手段】
【００１９】
本発明の内視鏡装置は、管腔内に挿入される内視鏡挿入部の先端部に、前記内視鏡挿入部の観察視野方向に突出する先端フード部材を一体もしくは着脱可能に設けた内視鏡装置において、前記内視鏡挿入部の先端部の先端面に、前記先端部の軸芯から偏芯させた位置に設けた観察光学系入射端及び鉗子チャンネル開口部と、この観察光学系入射端に対して、送気送水する送気送水ノズルと、前記観察光学系入射端と前記送気送水ノズルとを結んだ線により分割された前記先端部の先端面の前記鉗子チャンネル開口部から離れたエリア内に前方送水用に設けた前方送水用開口と、を具備することを特徴としている。
【００２０】
また、本発明の内視鏡装置は、管腔内に挿入される内視鏡挿入部の先端部に、前記内視鏡挿入部の観察視野方向に突出する先端フード部材を一体もしくは着脱可能に設けた内視鏡装置において、前記内視鏡挿入部の先端部の先端面に、前記先端部の軸芯から偏芯させた位置に設けた観察光学系入射端及び鉗子チャンネル開口部と、この観察光学系入射端に対して、送気送水する送気送水ノズルと、前記観察光学系入射端と前記送気送水ノズルとを結んだ線の観察光学系入射端側の延長線上に、前記送気送水ノズルから送出された流体を前記鉗子チャンネル開口部から離れたエリア内に流動するように前記先端フード部材の内壁に設けた流体案内用突堤と、を具備することを特徴としている。
【００２１】
本発明の内視鏡装置により、先端フード部材内に滞留する流体や汚物を効率よく吸引排出することでき、観察光学系入射端の視野の確保と鮮明被写体の観察が可能となった。
【発明の効果】
【００２２】
本発明の内視鏡装置は、内視鏡挿入部先端と被写体の最接近距離を確保する先端フード部材内に滞留する流体や汚物を効果的に除去でき、観察光学系入射端の視野確保と鮮明な被写体が観察できる効果を有している。
【発明を実施するための最良の形態】
【００２３】
以下、図面を参照して本発明の実施の形態について詳細に説明する。最初に、図１乃至図３を用いて本発明に関する内視鏡装置の第一の実施形態について説明する。なお、図１は本発明に関する内視鏡装置の第一の実施形態における先端フード部材を設けた内視鏡挿入部の先端部を示す斜視図、図２は本発明に関する内視鏡装置の第一の実施形態における先端フード部材を設けた内視鏡挿入部の先端部を示す正面図、図３は本発明に関する内視鏡装置の第一の実施形態における図２の図中切断線Ｐ−Ｐから切断した内視鏡挿入部の先端部の断面図である。
【００２４】
本発明の第一の実施形態の内視鏡装置は、内視鏡挿入部６の先端部５の先端面２０には、この先端部５の先端面２０の軸芯から偏芯した位置に設けられた観察光学系入射端１、少なくとも１つ以上の照明光学系出射端２、鉗子チャンネル開口部３、送気送水ノズル７、及び前方送水用開口部１１等が設けられている。
【００２５】
この内視鏡挿入部６の先端部５には、略円筒状で、先端部５の先端面２０から観察視野方向に突出したフードを有する先端フード部材４が一体または着脱可能に設けられている。
【００２６】
この先端フード部材４の前記先端部５の先端面２０からの突出量は、前記先端部５の少なくとも観察光学系入射端１と被写体との最接近距離を維持するために必要な長さとし、かつ、先端フード部材４の前端部が前記観察光学系入力端１の視野範囲に入り込まない形状に形成されている。
【００２７】
前記観察光学系入射端１には、対物レンズが配置され、この対物レンズの最先端レンズが先端部５の観察光学系入射端１として配置されている。この対物レンズの内視鏡挿入部６の基端側には、観察光を導光するイメージファイバーバンドル２３の観察光入射端面が配置されている。または、前記対物レンズの内視鏡挿入部６の基端側の焦点位置に撮像素子を配置させた電子内視鏡とすることもできる。
【００２８】
前記照明光学系出射端２には、照明レンズが配置されている。この照明レンズの内視鏡挿入部６の基端側には、照明光を導光するライトガイドファイバーバンドル２２の照明光出射端面が配置されている。
【００２９】
前記鉗子チャンネル開口部３には、図示していない処置や治療等の鉗子を挿通すると共に、吸水・吸気を兼用する鉗子チャンネルに連通している。この鉗子チャンネルに挿通された鉗子は、前記鉗子チャンネル開口部３から先端部５の観察視野方向に突出して、患部の処置や治療等を行うようになっている。
【００３０】
前記送気送水ノズル７は、前記観察光学系入射端１の対物レンズの最先端レズに対して、洗浄用の流体を噴出させるように設けられている。この送気送水ノズル７には、図示していない送気送水チャンネルが連通されている。
【００３１】
更に、前記前方送水用開口部１１は、図２に示すように、先端部５の先端面２０に設けられた観察光学系入射端１と送気送水ノズル７を結ぶ直線Ａ−Ａで区切り、この直線Ａ−Ａで区切られた前記先端部５の先端面２０の狭い方のエリアまたは吸気吸水口を兼ねる鉗子チャンネル開口部３から離れたエリア（図２の図中斜線で示すエリア）３０内に設置されている。この前方送水用開口部１１には、前記先端部５から挿入部６の基端に配置された前方送水用管路１１ａが連通されて、前記挿入部６の基端に連設されている操作部に接続された送水ポンプへと接続されるようになっている。
【００３２】
このような構成の内視鏡装置による内視鏡観察による処置や治療等の作用について説明する。
【００３３】
前記先端部５に先端フード部材４を設けた内視鏡挿入部６を管腔内に挿入して、観察部位である粘膜に前記先端フード部材４の前端を当接させて、最接近距離を維持させながら内視鏡観察し、処置や治療等を行っている際に、前記観察光学系入射端１の視界を確保するために、前記送気送水ノズル７から前記観察光学系入力端１に対して送気送水を行い洗浄すると共に、その洗浄に用いた流体と洗浄された残渣等の汚物を鉗子チャンネル開口部３から吸引して前記先端フード部材４の内部から管腔外へと排出する。
【００３４】
しかし、前記先端フード部材４の内部の流体と汚物は、その流体と汚物を吸気吸水する鉗子チャンネル開口部３から離れた位置である前記エリア３０付近に滞留して図３に示すように汚物１０が残存することが多々発生している。
【００３５】
このために、前記エリア３０に設けた前方送水用開口部１１から流体を噴射させて、このエリア３０に残存している汚物の全部または一部を吹き飛ばすことで、前記鉗子チャンネル開口部３からの排出が可能となる。
【００３６】
つまり、前記送気送水ノズル７と前方送水用開口部１１から略同時に洗浄用の流体を噴射させると、送気送水ノズル７からの流体は観察光学系入射端１の対物レンズ面を洗浄し、前方送水用開口部１１からの流体はエリア３０付近に滞留する汚物を吹き飛ばすことで、前記先端フード部材４内の洗浄液体と汚物の吸引排出が前記鉗子チャンネル開口部３から効率よく実行できる。
【００３７】
これにより、内視鏡観察による処置や治療時の観察光学系の視野の確保と鮮明な被写体像の観察ができるようになる。
【００３８】
次に、本発明に関する内視鏡装置の第二の実施形態について図４と図５を用いて説明する。なお、図４は本発明に関する内視鏡装置の第二の実施形態における先端フード部材を設けた内視鏡挿入部の先端部を示す正面図。図５は本発明に関する内視鏡装置の第二の実施形態における図４の図中切断線Ｑ−Ｑから切断した内視鏡挿入部の先端部の断面図である。
【００３９】
この第二の実施形態の内視鏡挿入部６の先端部５の構成は、前述した第一の実施形態と同じである。この第二の実施形態と前述した第一の実施形態との相違は、先端フード部材４にある。
【００４０】
この第二の実施形態の先端フード部材４は、円筒形状に形成され、前記内視鏡挿入部６の先端部５の先端面から観察視野方向に突出させたフード部の内壁面に流体案内用の突堤１２が形成されている。
【００４１】
この流体案内用の突堤１２は、前記内視鏡挿入部６の先端部５に設けられた観察光学系入射端１と送気送水ノズル７を結んだ延長線上で観察光学系入射端１の側に設けられている。この流体案内用の突堤１２の形状は、前記送気送水ノズル７近辺を中心として、前記送気送水ノズル７と観察光学系入射端１を結ぶ延長線上の近傍から前記エリア３０内に円弧が描かれた形状となっている。つまり、前記送気送水ノズル７から観察光学系入射端１に噴射された流体が、この流体案内用の突堤１２の円弧に沿って前記エリア３０側へと流動案内されるようになっている。なお、この流体案内用突堤１２の先端フード部材４の軸方向の厚みは、前記送気送水ノイズ７からの噴射流体を前記エリア３０方向に流動案内させる厚さに設定されている。また、前記観察光学系入射端１の視野範囲に入り込まないように設定されている。
【００４２】
即ち、前記送気送水ノズル７から観察光学系入射端１に噴射された流体は、観察光学系入射端１の被写体レンズ面を洗浄後、前記流体案内用の突堤１２の円弧に案内されてエリア３０側へと流動されると共に、先端フード部材４の内周壁に沿って環流するようになっている。
【００４３】
これにより、前記送気送水ノズル７から観察光学系入射端１へ噴射された洗浄流体と洗浄された汚物は、流体案内用の突堤１２により強制的に鉗子チャンネル開口部３から離れたエリア３０部分へと流動し、かつ、先端フード部材４の内壁に沿って環流して、前記鉗子チャンネル開口部３から吸水排出される。
【００４４】
なお、前記エリア３０に前記前方送水用開口部１１を設けなくても良いが、前方送水用開口部１１が設けられていると、前記送気送水ノズル７から噴射されて前記流体案内の突堤１２で案内流動される流体と、前方送水用開口部１１から噴射された流体とが先端フード部材４の内部で交差乱流することで、流体や汚物の残存が解消でき効率的に鉗子チャンネル開口部３から吸水排出が可能となる。
【００４５】
上述した本発明の実施形態の説明において、前記鉗子チャンネル開口部３は、前記送気送水ズル７、及び前方送水開口部１１から噴射させた流体や、その流体で洗浄された汚物等を吸引排出する吸水・吸気開口部を兼用させたが、この鉗子チャンネル開口部３の近傍に吸水吸気専用開口部を設けても良くい。
【００４６】
従って、鉗子チャンネル開口部は、処置治療等の鉗子挿通開口と、流体の吸水・吸気の開口とが兼用されている場合に限定されものではなく、処置治療等の鉗子挿通専用の鉗子チャンネル開口部と、流体の吸水・吸気専用のチャンネル開口部とが個別に設けられる場合にも適用されるものである。
【００４７】
［付記］
以上詳述した本発明の実施形態によれば、以下のごとき構成を得ることができる。
【００４８】
（付記１）  管腔内に挿入される内視鏡挿入部の先端部に、前記内視鏡挿入部の観察視野方向に突出する先端フード部材を一体もしくは着脱可能に設けた内視鏡装置において、
前記内視鏡挿入部の先端部の先端面に、前記先端部の軸芯から偏芯させた位置に設けた観察光学系入射端及び鉗子チャンネル開口部と、
この観察光学系入射端に対して、送気送水する送気送水ノズルと、
前記観察光学系入射端と前記送気送水ノズルとを結んだ線により分割された前記先端部の先端面の前記鉗子チャンネル開口部から離れたエリア内に前方送水用に設けた前方送水用開口と、
を具備することを特徴とした内視鏡装置。
【００４９】
（付記２）  管腔内に挿入される内視鏡挿入部の先端部に、前記内視鏡挿入部の観察視野方向に突出する先端フード部材を一体もしくは着脱可能に設けた内視鏡装置において、
前記内視鏡挿入部の先端部の先端面に、前記先端部の軸芯から偏芯させた位置に設けた観察光学系入射端及び鉗子チャンネル開口部と、
この観察光学系入射端に対して、送気送水する送気送水ノズルと、
前記観察光学系入射端と前記送気送水ノズルとを結んだ線の観察光学系入射端側の延長線上に、前記送気送水ノズルから送出された流体を前記鉗子チャンネル開口部から離れたエリア内に流動するように前記先端フード部材の内壁に設けた流体案内用突堤と、
を具備することを特徴とした内視鏡装置。
【００５０】
（付記３）  前記内視鏡挿入部の先端部の先端面に設けられた、前記流体案内用突堤で形成される前記鉗子チャンネル開口部から離れたエリア内に、前方送水用開口を設けた設けたことを特徴とした付記２記載の内視鏡装置。
【００５１】
（付記４）  管腔内に挿入される内視鏡の挿入部の先端に、前記内視鏡の観察視野方向に突出する突出部を有する内視鏡用先端フード部材を一体的もしくは着脱可能に装着可能な内視鏡において、
対物レンズは内視鏡先端の軸芯から偏芯しており、ノズルと対物レンズを結んだ線によって分割される内視鏡先端の狭い方のエリアに前方送水用の開口部を設けたことを特徴とする内視鏡装置。
【００５２】
（付記５）  管腔内に挿入される内視鏡の挿入部の先端に一体的もしくは着脱可能に設けられ、前記内視鏡の観察視野方向に突出する突出部を有する内視鏡用先端フード部材において、
ノズルと対物レンズを結んだ線の対物レンズ側の延長線上に、ノズルから送出された流体がチャンネル開口部と逆側のエリアに流れやすいような形状を有する突起部を設けたことを特徴とする内視鏡装置。
【図面の簡単な説明】
【００５３】
【図１】本発明に関する内視鏡装置の第一の実施形態における先端フード部材を設けた内視鏡挿入部の先端部を示す斜視図。
【図２】本発明に関する内視鏡装置の第一の実施形態における先端フード部材を設けた内視鏡挿入部の先端部を示す正面図。
【図３】本発明に関する内視鏡装置の第一の実施形態における図２の図中切断線Ｐ−Ｐから切断した内視鏡挿入部の先端部の断面図。
【図４】本発明に関する内視鏡装置の第二の実施形態における先端フード部材を設けた内視鏡挿入部の先端部を示す正面図。
【図５】本発明に関する内視鏡装置の第二の実施形態における図４の図中切断線Ｑ−Ｑから切断した内視鏡挿入部の先端部の断面図
【符号の説明】
【００５４】
１…観察光学系入射端
２…照明光学系出射端
３…鉗子チャンネル開口部
４…先端フード部材
５…先端部
６…内視鏡挿入部
７…送気送水ノズル
１０…汚物
１１…前方送水用開口部
２０…先端面
代理人      弁理士      伊  藤    進
【図１】
2005065872.tif 000003
【図２】
2005065872.tif 000004
【図３】
2005065872.tif 000005
【図４】
2005065872.tif 000006
【図５】
2005065872.tif 000007